(57)【要約】【課題】電子装置の回路配置を簡潔にして、回路設計のフレキシブル性を増加させ、コネクタ及びケーブルの使用数量を減少させる伝送システムを提供する。【解決手段】統合伝送ケーブル２は、マルチコアケーブル２０、ユニバーサルシリアルバスコネクタ３１、ネットワークコネクタ３２及びコモンコネクタ３３からなる。マルチコアケーブル２０は第一コア群２１と第二コア群２２とからなる。USBコネクタ３１は第一コア群２１の一端に電気的に接続される。ネットワークコネクタ３２は第二コア群２２の一端に電気的に接続される。コモンコネクタ３３は第一コア群２１及び第二コア群２２のもう一端に電気的に接続される。伝送システムも開示される。【選択図】図２
2008090817.tif 000002
【特許請求の範囲】
【請求項１】
伝送システムであって、統合伝送ケーブル及び電子装置からなり、
前記統合伝送ケーブルは、マルチコアケーブル、USB（ユニバーサルシリアルバス）コネクタ、ネットワークコネクタ及びコモンコネクタからなり、前記マルチコアケーブルは第一コア群と第二コア群とからなり、前記USBコネクタは前記第一コア群の一端に電気的に接続され、前記ネットワークコネクタは前記第二コア群の一端に電気的に接続され、前記コモンコネクタは前記第一コア群及び前記第二コア群のもう一端に電気的に接続され、
前記電子装置は前記コモンコネクタと電気的に接続されることを特徴とする伝送システム。
【請求項２】
前記USBコネクタは、二個の電源ピンと二個のデータピンとを有することを特徴とする請求項１に記載の伝送システム。
【請求項３】
前記USBコネクタは、前記電源ピンにより電源を前記電子装置に提供することを特徴とする請求項２に記載の伝送システム。
【請求項４】
前記コモンコネクタは八個のピンを有し、且つ、前記第一コア群は、前記コモンコネクタの八個のピンのうち四個のピンに電気的に接続され、前記第二コア群は前記コモンコネクタの残りの四個のピンに電気的に接続されることを特徴とする請求項１に記載の伝送システム。
【請求項５】
前記第一コア群の端に近接する一部分、及び前記第二コア群の端に近接する一部分が分離され、前記マルチコアケーブルはY字型を呈することを特徴とする請求項１に記載の伝送システム。
【請求項６】
更に、調整素子を有し、前記Y字型マルチコアケーブルの分離部分の長さを調整することを特徴とする請求項５に記載の伝送システム。
【請求項７】
１０／１００M  Base−Tに適用されることを特徴とする請求項１に記載の伝送システム。
【請求項８】
伝送システムであって、統合伝送ケーブル、第一電子装置及び第二電子装置からなり、
前記統合伝送ケーブルは、マルチコアケーブル、ユニバーサルシリアルバス（USB）コネクタ、ネットワークコネクタ及びコモンコネクタからなり、前記マルチコアケーブルは第一コア群と第二コア群とからなり、前記USBコネクタは前記第一コア群の一端に電気的に接続され、前記ネットワークコネクタは前記第二コア群の一端に電気的に接続され、前記コモンコネクタは前記第一コア群及び前記第二コア群のもう一端に電気的に接続され、
前記第一電子装置は前記コモンコネクタと電気的に接続され、
前記第二電子装置は前記USBコネクタに接続され、
前記第一及び第二電子装置は、デスクトップ型コンピュータ、ノート型パソコン或いはタブレット型コンピュータ、PDA或いは携帯電話で、且つ、前記ネットワークコネクタは、ローカルエリアネットワーク或いはインターネットに接続されることを特徴とする伝送システム。
【発明の詳細な説明】
【技術分野】
【０００１】
本発明は、伝送システムに関するものであって、特に、USB（ユニバーサルシリアルバス）コネクタとローカルエリアネットワークコネクタとを整合する伝送システムに関するものである。
【背景技術】
【０００２】
電子科学技術の発展とインターネットの飛躍により、現在の電子装置、例えば、デスクトップ型パソコンやノート型パソコンは、ローカルエリアネットワークポート、USBインターフェース及びその他の伝送ポートを有する。図１は、公知のUSBケーブル１１とローカルエリアネットワークコネクタ１２とを示す図である。USBケーブル１１は、二個の四ピンコネクタ１１１、１１１’と四芯ケーブル１１２とからなる。ローカルエリアネットワークコネクタ１２は、二個の八ピンコネクタ１２１と八芯ケーブル１２２とからなる。電子装置（図示しない）が、ローカルエリアネットワークコネクタ１２によりローカルエリアネットワークに接続される時、電子装置は電源をローカルエリアネットワークに提供しなければならないので、電子装置にAC／DCコンバータの設置が必要である。この他、電子装置がUSB装置とローカルエリアネットワークとを同時に接続する必要がある場合、それぞれ、USBケーブル１１とローカルエリアネットワークコネクタ１２により電子装置に接続する必要があり、且つ、電子装置はそれぞれUSBコネクタとネットワークコネクタとを配置する必要もある。しかし、電子装置の設計は小型化の趨勢にあり、異なるケーブルと異なるコネクタとが効果的に整合できない場合、構造の小型化に影響するだけでなく、更に、材料コスト、組み立てコスト及び管理コストの削減ができない。
【０００３】
よって、伝送システム及び統合伝送ケーブルを提供する上で、USBとローカルエリアネットワークのコネクタ、及びインターフェースを整合し、如何にして、電子装置の回路配置を簡潔にし、回路設計のフレキシブル性を増加させ、コネクタとケーブルの使用数量を減少させるかが、重要な課題の一つである。
【発明の開示】
【発明が解決しようとする課題】
【０００４】
本発明は、USBとローカルエリアネットワークのコネクタ、及びインターフェースを整合することにより、電子装置の回路配置を簡潔にして、回路設計のフレキシブル性を増加させ、コネクタ及びケーブルの使用数量を減少させる伝送システムを提供することを目的とする。
【０００５】
本発明は、更に、USBにより直接、動作電力を電子装置に提供することができる伝送システムを提供することをもう一つの目的とする。
【課題を解決するための手段】
【０００６】
上述の目的を達成するため、本発明の統合伝送ケーブルは、マルチコアケーブル、ユニバーサルシリアルバスコネクタ、ネットワークコネクタ及びコモンコネクタからなる。マルチコアケーブルは第一コア群と第二コア群とからなる。USBコネクタは第一コア群の一端に電気的に接続される。ネットワークコネクタは第二コア群の一端に電気的に接続される。コモンコネクタは第一コア群及び第二コア群のもう一端に電気的に接続される。
【０００７】
上述の目的を達成するため、本発明の伝送システムは、統合伝送ケーブル及び電子装置からなる。統合伝送ケーブルは、マルチコアケーブル、ユニバーサルシリアルバスコネクタ、ネットワークコネクタ及びコモンコネクタからなる。マルチコアケーブルは第一コア群と第二コア群とからなる。USBコネクタは第一コア群の一端に電気的に接続される。ネットワークコネクタは第二コア群の一端に電気的に接続される。コモンコネクタは第一コア群及び第二コア群のもう一端に電気的に接続される。電子装置はコモンコネクタと電気的に接続される。
【０００８】
上述のように、本発明の伝送システム及び統合伝送ケーブルは１０／１００M  Base−T時、四ピンのUSBがインターネット伝送の八ピンの内の四個の空きピンに整合され、元は各自独立していた伝送を同一のケーブルとコモンコネクタとに整合する。公知技術と比較すると、本発明のUSBとローカルエリアネットワークのコネクタ、及びインターフェースの整合配置は、電子製品の回路配置を簡潔にし、回路配置に基づいて、USBの四ピンをケーブルの四空きピンに自由な組み合わせで配置して、回路設計のフレキシブル性を増加すると共に、コネクタ及びケーブルの使用数量を減少させ、USBにより直接、動作電力を電子装置或いはインターネット装置に提供する。
【発明の効果】
【０００９】
本発明により、電子装置の回路配置が簡潔になり、回路設計のフレキシブル性が増加し、コネクタ及びケーブルの使用数量を減少させ、更に、USBにより直接、動作電力を電子装置に提供することができる。
【発明を実施するための最良の形態】
【００１０】
以下は図を参照し、本発明の好ましい実施例による伝送システム及び統合伝送ケーブルを説明する。同様の構成は同様の符号により説明する。
【００１１】
図２で示されるように、本発明の好ましい実施例による統合伝送ケーブル２は、マルチコアケーブル２０、ユニバーサルシリアルバスコネクタ３１、ネットワークコネクタ３２及びコモンコネクタ３３からなる。マルチコアケーブル２０は第一コア群２１と第二コア群２２とからなる。USBコネクタ３１は第一コア群２１の一端に電気的に接続され、ネットワークコネクタ３２は第二コア群２２の一端に電気的に接続され、これらのコア群２１、２２が整合後、マルチコアケーブル２０に集合されて、コア群２１、２２のもう一端がコモンコネクタ３３と電気的に接続される。
【００１２】
統合伝送ケーブル２の第一コア群２１の端に近接する一部分と、第二コア群２２の端に近接する一部分とは分離され、マルチコアケーブル２０はY字型を呈する。この他、統合伝送ケーブル２は更に調整素子４０を有し、第一コア群２１及び第二コア群２２のマルチコアケーブル２０の分離箇所に位置し、調整素子４０はY字型マルチコアケーブル２０の分離部分の長さLを調整する。第一コア群２１の分離部分の長さLは５メートル以下に制限し、且つ、統合伝送ケーブル２はインターネット伝送速度０／１００M  Base-Tに適用される。
【００１３】
図３を参照すると、マルチコアケーブル２０は八芯のケーブル、例えば、CAT5で、第一コア群２１は、四本の芯線２１１、２１２、２１３、２１４を有し、第二コア群２２は、四本の芯線２２１、２２２、２２３、２２４を有する。USBコネクタ３１は、四個のピン３１１、３１２、３１３、３１４を有し、それぞれ、芯線２１１、２１２、２１３、２１４に電気的に接続する。本実施例中、ネットワークコネクタ３２はRJ４５コネクタで、八個のピン３２１、３２２、３２３、３２４、３２５、３２６、３２７、３２８を有し、ピン３２１、３２２、３２３、３２６は、それぞれ、芯線２２１、２２２、２２３、２２４の一端に電気的に接続される。１０／１００M  Base−Tで使用する時、RJ４５コネクタのピン３２４、３２５、３２７、３２８は空きのピンであり、芯線と結線されない。コモンコネクタ３３は八個のピン３３１、３３２、３３３、３３４、３３５、３３６、３３７、３３８を有し、第一コア群２１の芯線２１１、２１２、２１３、２１４及び第二コア群２２の芯線２２１、２２２、２２３、２２４のもう一端に結線される。
【００１４】
本実施例中、マルチコアケーブル２０と各コネクタ３１〜３３との間の結線順序は以下のようである。USBコネクタ３１のピン３１１、３１２、３１３、３１４は二個の電源ピン及び二個のデータピンを有し、配列順序は、例えば、これに限定されないが、ピン３１１が電源受信端（Vcc）で、ピン３１２はデータ伝送端（DATA−）、ピン３１３はデータ受信端（DATA＋）及びピン３１４は電源接地端（GND）である。これらのピン３１１、３１２、３１３、３１４はそれぞれ、第一コア群２１の芯線２１１、２１２、２１３、２１４の一端に電気的に接続され、第一コア群２１のもう一端は、例えば、これに限定されないが、コモンコネクタ３３のピン３３４、３３５、３３７、３３８に電気的に接続される。よって、USBコネクタ３１は、電源ピン３１１、３１４により例えば５ボルトの電源をコモンコネクタ３３に提供して、電子装置或いはインターネット装置に使用させる。
【００１５】
本発明のUSBコネクタ３１のピン３１１、３１２、３１３、３１４とネットワークコネクタ３２の空きピン３２４、３２５、３２７、３２８は整合されると共に、コモンコネクタ３３のピン３３１、３３２、３３３、３３４、３３５、３３６、３３７、３３８に電気的に接続され、故に、元は各自独立したUSB伝送とインターネット伝送とは同一ケーブル及びコモンコネクタで整合される。USBコネクタ３１のピン３１１、３１２、３１３、３１４がネットワークコネクタ３２の空きピン３２４、３２５、３２７、３２８に整合される配置方式は制限がなく、例えば、表１のように、USBコネクタ３１のピン３１１がネットワークコネクタ３２の空きピン３２４に配置される時、USBコネクタ３１のその他のピン３１２、３１３、３１４はネットワークコネクタ３２のその他のピン３２５、３２７、３２８に自由な組み合わせで配置できる。故に、表１のような六種の配置方式の組み合わせがある。同様に、USBコネクタ３１のピン３１２、３１３、３１４が、それぞれ、ネットワークコネクタ３２の空きピン３２４に配置される時、六種の異なる配置がある。よって、USBコネクタ３１のピン３１１、３１２、３１３、３１４は総計２４種の変化で、ネットワークコネクタ３２の空きピン３２４、３２５、３２７、３２８に配置される。同様に、ネットワークコネクタ３２の使用ピン３２１、３２２、３２３、３２６は配置の変更が可能で、故に、コモンコネクタ３３のピン設計のフレキシブル性を提供することができる。
【００１６】
【表１】
2008090817.tif 000003
上述の実施例による統合伝送ケーブル２は、電子装置と、その他の電子装置であるインターネット装置或いはUSBインターフェース装置との間の電気的な接続とデータ伝送とに応用される。図４を参照すると、本発明の好ましい実施例による伝送システム５は、統合伝送ケーブル２と第一電子装置１００とからなる。第一電子装置１００は、統合伝送ケーブル２のコモンコネクタ３３と電気的に接続される。統合伝送ケーブル２は、第二電子装置２００とインターネット３００とに接続され、第一電子装置１００及び第二電子装置２００は、これらに限定されないが、パソコン、PDA或いは携帯電話である。パソコンはデスクトップ、ノート型或いはタブレット型コンピュータである。本実施例中、第一電子装置１００はパソコン、第二電子装置２００はPDAとして説明する。
【００１７】
統合伝送ケーブル２は、第一コア群２１及びUSBコネクタ３１により第二電子装置２００と接続され、第二コア群２２及びネットワークコネクタ３２によりインターネット３００と接続され、異なる装置はコモンコネクタ３３により第一電子装置１００に接続され、故に、同一の統合伝送ケーブル２及びコモンコネクタ３３の整合配置により、コネクタ及びケーブルの使用数量を減少させることができる。本実施例中、インターネット３００はローカルエリアネットワークまたはインターネットである。本実施例中、USBコネクタ３１は実際の要求によって、電源ピン３１１、３１４を経て、伝送システム５を構成する第二電子装置２００から、例えば、電圧が５ボルトの電源をコモンコネクタ３３に提供し、第一電子装置１００に提供する。
【００１８】
まとめると、本発明の伝送システム５及び統合伝送ケーブル２は、１０／１００M  Base−T時、四ピンのUSBがインターネット伝送の八ピンの内の四個の空きピンに整合され、元は各自独立していた伝送を同一のケーブルとコモンコネクタ３３とに整合する。公知技術と比較すると、本発明のUSBとローカルエリアネットワークのコネクタ、及びインターフェースの整合配置は、電子製品の回路配置を簡潔にし、回路配置に基づいて、USBの四ピンをケーブルの四個の空きピンに自由な組み合わせで配置して、回路設計のフレキシブル性を増加すると共に、コネクタ及びケーブルの使用数量を減少させ、USBにより直接、動作電力を電子装置１００或いはインターネット装置に提供する。
【００１９】
本発明では好ましい実施例を前述の通り開示したが、これらは決して本発明に限定するものではなく、当該技術を熟知する者なら誰でも、本発明の精神と領域を脱しない範囲内で各種の変更や修正を加えることができ、従って本発明の保護範囲は、特許請求の範囲で指定した内容を基準とする。
【図面の簡単な説明】
【００２０】
【図１】公知のUSBコネクタ及びローカルエリアネットワークコネクタを示す図である。
【図２】本発明の好ましい実施例による統合伝送ケーブルを示す図である。
【図３】本発明の統合伝送ケーブルの接続線配置図である。
【図４】本発明の好ましい実施例による伝送システム及び統合伝送ケーブルを示す図である。
【符号の説明】
【００２１】
２  統合伝送ケーブル
５  伝送システム
１１  USBケーブル
１２  ローカルエリアネットワークコネクタ
２０  マルチコアケーブル
２１  第一コア群
２２  第二コア群
３１  USBコネクタ
３２  ネットワークコネクタ
L  長さ
２１１〜２１４、２２１〜２２４  芯線
３１１〜３１４、３２１〜３２８、３３１〜３３８  ピン
３３  コモンコネクタ
４０  調整素子
１００  第一電子装置
１１１、１１１’  四ピンコネクタ
１１２  四芯ケーブル
１２１  八ピンコネクタ
１２２  八芯ケーブル
２００  第二電子装置
３００  ローカルエリアネットワーク
【図１】
2008090817.tif 000004
【図２】
2008090817.tif 000005
【図３】
2008090817.tif 000006
【図４】
2008090817.tif 000007